【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
表示パネルと、複数の分割領域からなり、１つ以上の分割領域を１つの発光単位として、発光単位毎に、決定された発光輝度で発光する発光手段と、を備える表示装置を制御する制御装置であって、
第１画像を拡大した第２画像を表示する場合に、前記第１画像に対する前記第２画像の拡大率に応じて、前記第１画像を表示する場合よりも発光単位のサイズを大きくする制御手段
を有することを特徴とする制御装置。
【請求項２】
前記発光手段は、初期状態において、１つの分割領域を１つの発光単位として、発光単位毎に、決定された発光輝度で発光するものであり、
前記制御手段は、前記第１画像を表示する場合に、発光単位のサイズを前記分割領域のサイズとし、前記第２画像を表示する場合に、発光単位のサイズを、前記分割領域のサイズを前記第１画像に対する前記第２画像の拡大率で拡大したサイズへ変更する
ことを特徴とする請求項１に記載の制御装置。
【請求項３】
前記表示装置は、前記発光手段の発光輝度を、分割領域毎に、その分割領域に表示される画像の統計量を用いて決定する決定手段を更に有し、
前記制御装置は、前記第１画像を表示する場合の、前記第１画像の発光単位毎の統計量を記憶する記憶手段を更に有し、
前記制御手段は、前記第２画像を表示する場合に、前記決定手段で、前記拡大された発光単位に含まれる分割領域の統計量として、該発光単位に対応する前記記憶手段で記憶された発光単位の統計量が使用されるように、前記表示装置に指示する
ことを特徴とする請求項２に記載の制御装置。
【請求項４】
前記表示装置は、
分割領域毎に、その分割領域に表示される画像の統計量を取得する取得手段と、
分割領域毎に、前記取得手段で取得された統計量を用いて、前記発光手段の発光輝度を決定する決定手段と、
を更に有し、
前記制御手段は、前記第２画像を表示する場合に、前記取得手段で、前記拡大された発
光単位に含まれる分割領域の統計量が、該発光単位の領域から取得されるように、前記表示装置に指示する
ことを特徴とする請求項２に記載の制御装置。
【請求項５】
前記第２画像は、画面の少なくとも一部の領域に表示されるものであり、
前記制御手段は、少なくとも前記第２画像が表示される領域の発光単位のサイズを大きくする
ことを特徴とする請求項１〜４のいずれか１項に記載の制御装置。
【請求項６】
前記制御手段は、前記第１画像に対する拡大率が互いに異なる複数の画像を共に表示している場合に、前記発光単位のサイズを大きくする処理を行う
ことを特徴とする請求項１〜５のいずれか１項に記載の制御装置。
【請求項７】
前記制御装置は、
画像の縁と分割領域の縁とが一致するように表示する画像の領域を決定する領域決定手段
を更に有することを特徴とする請求項１〜６のいずれか１項に記載の制御装置。
【請求項８】
前記制御装置は、
１つの分割領域を１つの発光単位とする第１のモードと、
前記第２画像を表示する場合に、前記第１画像に対する前記第２画像の拡大率に応じて、前記第１画像を表示する場合よりも発光単位のサイズを大きくする第２のモードと、
を含む複数のモードのいずれかを選択する選択手段を更に有する
ことを特徴とする請求項１〜７のいずれか１項に記載の制御装置。
【請求項９】
表示パネルと、複数の分割領域からなり、１つ以上の分割領域を１つの発光単位として、発光単位毎に、決定された発光輝度で発光する発光手段と、を備える表示装置を制御する制御装置の制御方法であって、
第１画像を拡大した第２画像を表示する場合に、前記第１画像に対する前記第２画像の拡大率に応じて、前記第１画像を表示する場合よりも発光単位のサイズを大きくする制御ステップ
を有することを特徴とする制御装置の制御方法。
【請求項１０】
前記発光手段は、初期状態において、１つの分割領域を１つの発光単位として、発光単位毎に、決定された発光輝度で発光するものであり、
前記制御ステップでは、前記第１画像を表示する場合に、発光単位のサイズを前記分割領域のサイズとし、前記第２画像を表示する場合に、発光単位のサイズを、前記分割領域のサイズを前記第１画像に対する前記第２画像の拡大率で拡大したサイズへ変更する
ことを特徴とする請求項９に記載の制御装置の制御方法。
【請求項１１】
前記表示装置は、前記発光手段の発光輝度を、分割領域毎に、その分割領域に表示される画像の統計量を用いて決定する決定手段を更に有し、
前記制御装置の制御方法は、前記第１画像を表示する場合の、前記第１画像の発光単位毎の統計量を、記憶部に記録する記録ステップを有し、
前記制御ステップでは、前記第２画像を表示する場合に、前記決定手段で、前記拡大された発光単位に含まれる分割領域の統計量として、該発光単位に対応する前記記録ステップで記録された発光単位の統計量が使用されるように、前記表示装置に指示する
ことを特徴とする請求項１０に記載の制御装置の制御方法。
【請求項１２】
前記表示装置は、
分割領域毎に、その分割領域に表示される画像の統計量を取得する取得手段と、
分割領域毎に、前記取得手段で取得された統計量を用いて、前記発光手段の発光輝度を決定する決定手段と、
を更に有し、
前記制御ステップでは、前記第２画像を表示する場合に、前記取得手段で、前記拡大された発光単位に含まれる分割領域の統計量が、該発光単位の領域から取得されるように、前記表示装置に指示する
ことを特徴とする請求項１０に記載の制御装置の制御方法。
【請求項１３】
前記第２画像は、画面の少なくとも一部の領域に表示されるものであり、
前記制御ステップでは、少なくとも前記第２画像が表示される領域の発光単位のサイズを大きくする
ことを特徴とする請求項９〜１２のいずれか１項に記載の制御装置の制御方法。
【請求項１４】
前記制御ステップでは、前記第１画像に対する拡大率が互いに異なる複数の画像を共に表示している場合に、前記発光単位のサイズを大きくする処理を行う
ことを特徴とする請求項９〜１３のいずれか１項に記載の制御装置の制御方法。
【請求項１５】
前記制御装置の制御方法は、
画像の縁と分割領域の縁とが一致するように表示する画像の領域を決定する領域決定ステップ
を更に有することを特徴とする請求項９〜１４のいずれか１項に記載の制御装置の制御方法。
【請求項１６】
前記制御装置の制御方法は、
１つの分割領域を１つの発光単位とする第１のモードと、
前記第２画像を表示する場合に、前記第１画像に対する前記第２画像の拡大率に応じて、前記第１画像を表示する場合よりも発光単位のサイズを大きくする第２のモードと、
を含む複数のモードのいずれかを選択する選択ステップを更に有する
ことを特徴とする請求項９〜１５のいずれか１項に記載の制御装置の制御方法。
【手続補正２】
【補正対象書類名】明細書
【補正対象項目名】０００８
【補正方法】変更
【補正の内容】
【０００８】
本発明の制御装置は、
表示パネルと、複数の分割領域からなり、１つ以上の分割領域を１つの発光単位として、発光単位毎に、決定された発光輝度で発光する発光手段と、を備える表示装置を制御する制御装置であって、
第１画像を拡大した第２画像を表示する場合に、前記第１画像に対する前記第２画像の拡大率に応じて、前記第１画像を表示する場合よりも発光単位のサイズを大きくする制御手段
を有することを特徴とする。
【手続補正３】
【補正対象書類名】明細書
【補正対象項目名】０００９
【補正方法】変更
【補正の内容】
【０００９】
本発明の制御装置の制御方法は、
表示パネルと、複数の分割領域からなり、１つ以上の分割領域を１つの発光単位として、発光単位毎に、決定された発光輝度で発光する発光手段と、を備える表示装置を制御する制御装置の制御方法であって、
第１画像を拡大した第２画像を表示する場合に、前記第１画像に対する前記第２画像の拡大率に応じて、前記第１画像を表示する場合よりも発光単位のサイズを大きくする制御ステップ
を有することを特徴とする。